(57)【要約】      （修正有）【課題】本発明の目的は、安全性を向上させることできるパネル装置を提供するものである。【解決手段】パネル装置Ｐは、パネル１を下向き溝２ａを有する上部キャッチャー２と上向き溝を有する下部キャッチャー３との間に跨ってけんどん式に嵌め込まれるパネル装置Ｐであって、上部キャッチャー２の下向き溝２ａ内に弾性部材４が設けられ、この弾性部材４は、パネル１を下部キャッチャー３の溝に向かって付勢するものである。【選択図】図２
2018091006.tif 000002
【特許請求の範囲】
【請求項１】
パネルを下向き溝を有する上部キャッチャーと上向き溝を有する下部キャッチャーとの間に跨ってけんどん式に嵌め込まれるパネル装置であって、
前記上部キャッチャーの下向き溝内に弾性部材が設けられ、
この弾性部材は、前記パネルを前記下部キャッチャーの溝に向かって付勢する
ことを特徴とするパネル装置。
【請求項２】
上部キャッチャーと下部キャッチャーは、同一部材であり、
前記下部キャッチャーの上向き溝にスペーサーを入れて、上向き溝の深さを上部キャッチャーの下向き溝の深さより低くする
ことを特徴とする請求項１記載のパネル装置。
【請求項３】
パネルは、目隠しを主目的としたブラインドパネル又は屋内空間を分けることを主目的とした間仕切り壁又は展示用のパネルである
ことを特徴とする請求項１又は請求項２記載のパネル装置。
【請求項４】
パネルを下向き溝を有する上部キャッチャーと上向き溝を有する下部キャッチャーとの間に跨ってけんどん式に嵌め込まれるパネルの取り付け方法であって、
前記上部キャッチャーの下向き溝内に弾性部材が設けられ、
前記上部キャッチャーと前記下部キャッチャーは、同一部材であり、
前記パネルの上端を前記上部キャッチャーの下向き溝内に入れ、その後、前記パネルの下端を前記下部キャッチャーの上向き溝内に入れ、前記弾性部材は、前記パネルを前記下部キャッチャーの溝に向かって付勢して、前記パネルを取り付ける
ことを特徴とするパネルの取り付け方法。
【請求項５】
パネルは、目隠しを主目的としたブラインドパネル又は屋内空間を分けることを主目的とした間仕切り壁又は展示用のパネルである
ことを特徴とする請求項４記載のパネルの取り付け方法。
【発明の詳細な説明】
【技術分野】
【０００１】
本発明は、パネル装置およびパネルの取り付け方法に係り、特に、安全性を向上させることできるパネル装置およびパネルの取り付け方法に関する。
【背景技術】
【０００２】
従来、図１０に示すように、パネル（例えば、ブラインドパネル）を下向き溝を有する上部レールと上向き溝を有する下部レールとの間に跨ってけんどん式に嵌め込まれるパネル装置がある。
上向き溝は深く、下向き溝は浅くして、パネルの取り付け、取り外しを容易にしているものである。
【発明の概要】
【発明が解決しようとする課題】
【０００３】
ところが、地震等で、パネル装置が揺れると、パネルが容易に外れて、周囲の人が怪我をする要因になるという問題点があった。
【０００４】
本発明は、上記問題点を解決するためになされたパネル装置およびパネルの取り付け方法を提供することを目的とする。
【課題を解決するための手段】
【０００５】
請求項１記載のパネル装置は、パネルを下向き溝を有する上部キャッチャーと上向き溝を有する下部キャッチャーとの間に跨ってけんどん式に嵌め込まれるパネル装置であって、前記上部キャッチャーの下向き溝内に弾性部材が設けられ、この弾性部材は、前記パネルを前記下部キャッチャーの溝に向かって付勢するものである。
【０００６】
また、請求項２記載のパネル装置は、請求項１記載のパネル装置において、上部キャッチャーと下部キャッチャーは、同一部材であり、前記下部キャッチャーの上向き溝にスペーサーを入れて、上向き溝の深さを上部キャッチャーの下向き溝の深さより低くするものである。
【０００７】
また、請求項３記載のパネル装置は、請求項１又は請求項２記載のパネル装置において、パネルは、目隠しを主目的としたブラインドパネル又は屋内空間を分けることを主目的とした間仕切り壁又は展示用のパネルである。
【０００８】
また、請求項４記載のパネルの取り付け方法は、パネルを下向き溝を有する上部キャッチャーと上向き溝を有する下部キャッチャーとの間に跨ってけんどん式に嵌め込まれるパネルの取り付け方法であって、前記上部キャッチャーの下向き溝内に弾性部材が設けられ、前記上部キャッチャーと前記下部キャッチャーは、同一部材であり、前記パネルの上端を前記上部キャッチャーの下向き溝内に入れ、その後、前記パネルの下端を前記下部キャッチャーの上向き溝内に入れ、前記弾性部材は、前記パネルを前記下部キャッチャーの溝に向かって付勢して、前記パネルを取り付けるものである。
【０００９】
また、請求項５記載のパネルの取り付け方法は、請求項４記載のパネルの取り付け方法において、パネルは、目隠しを主目的としたブラインドパネル又は屋内空間を分けることを主目的とした間仕切り壁又は展示用のパネルである。
【発明の効果】
【００１０】
請求項１記載のパネル装置によれば、弾性部材は、パネルを下部キャッチャーの溝に向かって付勢するため、パネルが地震等で多少揺れても下部キャッチャーよりの離脱を防いで、安全性を向上させることできる。
【００１１】
また、請求項２記載のパネル装置によれば、上述した請求項１記載の発明の効果に加え、上部キャッチャーと下部キャッチャーは同一部材で、共通部材とすることにより、部品点数を減らして、量産効果による製造コストの削減を図ることができ、
また、下部キャッチャーの上向き溝にスペーサーを入れて、上向き溝の深さを上部キャッチャーの下向き溝の深さより低く、つまり、上部キャッチャーと下部キャッチャーは同一部材としても、スペーサーを下部キャッチャーの上向き溝にいれて、上部を深く、下部を浅くして、パネルの取り付け、取り外しを容易にすることができる。
【００１２】
また、請求項４記載のパネルの取り付け方法によれば、弾性部材は、パネルを下部キャッチャーの溝に向かって付勢するため、パネルが地震等で多少揺れても下部キャッチャーよりの離脱を防いで、安全性を向上させることでき、上部キャッチャーと下部キャッチャーは同一部材で、共通部材とすることにより、部品点数を減らして、量産効果による製造コストの削減を図ることができ、
また、下部キャッチャーの上向き溝にスペーサーを入れて、上向き溝の深さを上部キャッチャーの下向き溝の深さより低く、つまり、上部キャッチャーと下部キャッチャーは同一部材としても、スペーサーを下部キャッチャーの上向き溝にいれて、上部を深く、下部を浅くして、パネルの取り付け、取り外しを容易にすることができる。
【図面の簡単な説明】
【００１３】
【図１】図１は、本発明の一実施例のパネル装置の概略的斜視図である。
【図２】図２は、図１の概略断面図である。
【図３】図３は、図１のパネル装置のパネル上端の取り付け状態を示す概略的斜視図である。
【図４】図４は、図１のパネル装置のパネル下端の取り付け状態を示す概略的斜視図である。
【図５】図５は、パネル装置を構成する部材の一部を示す概略的斜視図である。
【図６】図６は、図１の下部キャッチャーの取り付け前の状態を示す概略的斜視図である。
【図７】図７は、図１の上部キャッチャーの取り付け前の状態を示す概略的斜視図である。
【図８】図８は、図１と異なる使用状態を示す概略的斜視図である。
【図９】図９は、図８と異なる使用状態を示す概略的斜視図である。
【図１０】図１０は、従来のパネル装置の概略的断面図である。
【発明を実施するための形態】
【００１４】
本発明の一実施例のパネル装置およびパネルの取り付け方法を図面（図１乃至図７）を参照して説明する。
図１及び図２に示すＰはパネル装置で、パネル装置（パネルの取り付け方法）Ｐは，パネル１を下向き溝２ａを有する上部キャッチャー２と上向き溝３ａを有する下部キャッチャー３との間に跨ってけんどん式に嵌め込まれるようになっている。
上部キャッチャー２は、天井６にビスＢ１により取り付けられ、下部キャッチャー３は、床面７にビスＢ２により取り付けられる。
【００１５】
また、図５及び図７に示す４は弾性部材で、弾性部材４は、上部キャッチャー２の下向き溝２ａ内に設けられ、具体的には、弾性部材４は、板バネで、ビスＢ３により下向き溝２ａ内に取り付けられる。
弾性部材４は、パネル１を下部キャッチャー３の溝３ａに向かって付勢（付勢は、勢いを付することで、例えば、一方に偏るような力を加えること）するものである。
【００１６】
従って、上述したパネル装置（パネルの取り付け方法）Ｐによれば、弾性部材４は、パネル１を下部キャッチャー３の溝３ａに向かって付勢するため、パネル１が地震等で多少揺れても下部キャッチャー３よりの離脱を防いで、安全性を向上させることできる。
【００１７】
なお、上部キャッチャー２と下部キャッチャー３は、同一部材であり、下部キャッチャー３の上向き溝３ａにスペーサー５を入れて、上向き溝３ａの深さを上部キャッチャーの下向き溝２ａの深さより低くするようにしている。
つまり、上部キャッチャー２と下部キャッチャー３は同一部材で、共通部材とすることにより、部品点数を減らして、量産効果による製造コストの削減を図ることができ、また、下部キャッチャー３の上向き溝３ａにスペーサー５を入れて、上向き溝３ａの深さを上部キャッチャー２の下向き溝２ａの深さより低く、つまり、上部キャッチャー２と下部キャッチャー３は同一部材としても、スペーサー５を下部キャッチャー３の上向き溝３ａにいれて、上部を深く、下部を浅くして、パネル１の取り付け、取り外しを容易にすることができる。
つまり、パネル１の上端を上部キャッチャー２の下向き溝２ａ内に入れ（上部キャッチャー２にパネル１を差し込む、この時、弾性部材４を押すように差し込む。図３参照）、その後、パネル１の下端を下部キャッチャー３の上向き溝３ａ内に入れ（下部キャッチャー３にパネル１を落とし込む。図４参照）、弾性部材４は、パネル１を下部キャッチャー３の溝３ａに向かって付勢して、パネル１を取り付けるものである。
【００１８】
なお、パネル１は、図１に示すように、屋内空間を分けることを主目的とした間仕切り壁でも良く、また、図８に示すように、目隠しを主目的としたブラインドパネルでも良く、図示しないが、出窓を隠す ブラインドパネルでも良く、図示しないが、カウンターを隠すブラインドパネルでも良く、図示しないが、洗面台を隠すブラインドパネルでも良く、また、図９に示すような展示用のパネル１でも良い。
【００１９】
なお、上部キャッチャー２と下部キャッチャー３は、同一部材、つまり、１部材としたが、場合により、上部キャッチャー２の下向き溝２ａの深さより低い上向き溝３ａを有する下部キャッチャー３、つまり、２部材としても良い。
深さの異なる上部キャッチャー２と下部キャッチャー３の２部材の場合、スペーサー５は、不要となる。
この場合のパネル装置Ｐは、パネル１を下向き溝２ａを有する上部キャッチャー２と上向き溝３ａを有する下部キャッチャー３との間に跨ってけんどん式に嵌め込まれるパネル装置Ｐであって、上部キャッチャー２の下向き溝２ａ内に弾性部材４が設けられ、この弾性部材４は、パネル１を下部キャッチャー３の溝３ａに向かって付勢するものとなる。
【符号の説明】
【００２０】
Ｐ        パネル装置
１        パネル
２        上部キャッチャー
２ａ      下向き溝
３        下部キャッチャー
３ａ      上向き溝
４        弾性部材
【図１】
2018091006.tif 000003
【図２】
2018091006.tif 000004
【図３】
2018091006.tif 000005
【図４】
2018091006.tif 000006
【図５】
2018091006.tif 000007
【図６】
2018091006.tif 000008
【図７】
2018091006.tif 000009
【図８】
2018091006.tif 000010
【図９】
2018091006.tif 000011
【図１０】
2018091006.tif 000012
【手続補正書】
【提出日】平成28年12月8日(2016.12.8)
【手続補正１】
【補正対象書類名】明細書
【補正対象項目名】０００１
【補正方法】変更
【補正の内容】
【０００１】
本発明は、パネル装置およびパネルの取り付け方法に係り、特に、安全性を向上させることができるパネル装置およびパネルの取り付け方法に関する。
【手続補正２】
【補正対象書類名】明細書
【補正対象項目名】０００２
【補正方法】変更
【補正の内容】
【０００２】
従来、図１０に示すように、パネル（例えば、ブラインドパネル）を下向き溝を有する上部レールと上向き溝を有する下部レールとの間に跨ってけんどん式に嵌め込まれるパネル装置がある。
下向き溝は深く、上向き溝は浅くして、パネルの取り付け、取り外しを容易にしているものである。